【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
第１の回転速度または前記第１の回転速度よりも遅い第２の回転速度で回転する感光体と、
前記感光体を露光するための光ビームを出射する光源と、
前記光源が点灯することで出射される前記光ビームが前記感光体上を前記感光体の回転方向とは異なる方向に走査するように前記光ビームを偏向する回転多面鏡と、
前記回転多面鏡を前記第１の回転速度及び第２の回転速度それぞれに対応した回転速度に制御可能な制御手段と、
所定周波数のクロック信号と画像データとに基づいて前記光源を駆動するための駆動信号を生成する信号生成手段と、
前記感光体が第１の回転速度に制御された場合の前記光ビームの走査方向における画像領域の幅と前記感光体が前記第２の回転速度に制御された場合の前記画像領域の幅とが同一になるように、前記第１の回転速度及び前記第２の回転速度それぞれに応じた前記画像データを生成するデータ生成手段と、
を備えることを特徴とする画像形成装置。
【請求項２】
前記データ生成手段は、
前記光源の点灯及び消灯それぞれに対応する２値の前記画像データを複数ビット生成し、
前記感光体が前記第１の回転速度に制御された場合、前記画像領域に対応する前記画像データとして第１のビット数の前記画像データを生成し、
前記第２の回転速度に制御された場合、前記画像領域に対応する前記画像データとして前記第１のビット数よりも多い第２のビット数の前記画像データを生成することを特徴とする請求項１に記載の画像形成装置。
【請求項３】
前記データ生成手段は、前記複数ビットの前記画像データを順次格納し、格納された順に前記画像データに出力する格納手段と、
前記格納手段に格納される前記複数ビットの画像データに対して単数または複数ビットの画像データを付加または削除するデータ変換手段と、
を備えることを特徴とする請求項２に記載の画像形成装置。
【請求項４】
前記第１のビット数と前記第２のビット数との差分は、前記第１の回転速度と前記第２の回転速度との速度差に対応することを特徴とする請求項２または３に記載の画像形成装置。
【請求項５】
前記所定周波数は前記第１の回転速度に対応して設定されており、
前記感光体が前記第２の回転速度に制御された場合、前記データ生成手段は、前記第１の回転速度と前記第２の回転速度との速度差に応じたビット数を前記第１のビット数に付加した前記第２のビット数の前記画像データを生成することを特徴とする請求項２乃至４いずれか１項に記載の画像形成装置。
【請求項６】
前記データ生成手段は、前記複数ビットの画像データを順次格納し、格納された順に前記画像データを出力する格納手段と、前記格納手段に格納される前記画像データに対して単数または複数ビットの画像データを付加するデータ変換手段と、を備え、
前記データ変換手段は、所定のタイミングにおいて前記格納手段に格納されている前記複数ビットの画像データの最終ビットと同じ画像データを付加することを特徴とする請求項５に記載の画像形成装置。
【請求項７】
前記所定周波数は前記第２の回転速度に対応して設定されており、
前記感光体が前記第１の回転速度に制御された場合、前記データ生成手段は、前記第２のビット数から前記第１の回転速度と前記第２の回転速度との速度差に応じたビット数を減じた第１のビット数の前記画像データを生成することを特徴とする請求項２に記載の画像形成装置。
【請求項８】
前記データ生成手段は、前記複数ビットの画像データを順次格納し、格納された順に前記画像データを出力する格納手段と、前記格納手段に格納される前記画像データに対して単数または複数ビットの画像データを削除するデータ変換手段と、を備え、
前記データ変換手段は、所定のタイミングにおいて前記格納手段に格納されている前記複数ビットの画像データの最終ビットの画像データを削除することを特徴とする請求項７に記載の画像形成装置。
【請求項９】
前記制御手段は、前記感光体が前記第１の回転速度に制御された場合、前記回転多面鏡を第３の回転速度に制御し、前記感光体が前記第２の回転速度に制御された場合、前記回転多面鏡を前記第３の回転速度よりも遅い第４の回転速度に制御することを特徴とする請求項１乃至８いずれか１項に記載の画像形成装置。
【請求項１０】
前記画像形成装置は、モノクロ画像及びカラー画像を形成する画像形成装置であって、前記感光体は、モノクロ画像を形成する場合、前記第１の回転速度に制御され、前記カラー画像を形成する場合、前記第２の回転速度に制御されることを特徴とする請求項１乃至９いずれか１項に記載の画像形成装置。
【請求項１１】
前記感光体が複数備えられ、複数の前記感光体は、少なくとも１つの感光体がブラックのトナー像が形成される感光体と少なくとも１つがカラーのトナー像が形成される感光体を含むことを特徴とする請求項１０に記載の画像形成装置。
【請求項１２】
感光体と、
前記感光体を露光するための光ビームを出射する光源と、
前記光源が点灯することで出射される前記光ビームが前記感光体上を走査するように前記光ビームを偏向する回転多面鏡と、
前記回転多面鏡の回転速度を複数の回転速度に制御可能な制御手段と、
所定周波数のクロック信号と画像データとに基づいて前記光源を駆動するための駆動信号を生成する信号生成手段と、
前記制御手段によって制御される前記回転多面鏡の回転速度に応じた前記画像データを生成するデータ生成手段と、
を備えることを特徴とする画像形成装置。
【請求項１３】
前記データ生成手段は、前記回転多面鏡が第１の回転速度に制御された場合の前記光ビームの走査方向における画像領域の幅と前記回転多面鏡が前記第１の回転速度よりも遅い第２の回転速度に制御された場合の前記光ビームの走査方向における画像領域の幅とが同一になるように、前記制御手段によって制御される前記回転多面鏡の回転速度に応じた前記画像データを生成することを特徴とする請求項１２に記載の画像形成装置。
【請求項１４】
前記データ生成手段は、
前記光源の点灯及び消灯それぞれに対応する２値の前記画像データを複数ビット生成し、
前記制御手段によって前記回転多面鏡が第１の回転速度に制御された場合、前記画像領域に対応する前記画像データとして第１のビット数の前記画像データを生成し、
前記制御手段によって前記回転多面鏡が第２の回転速度に制御された場合、前記画像領域に対応する前記画像データとして前記第１のビット数よりも多い第２のビット数の画像データを生成することを特徴とする請求項１３に記載の画像形成装置。
【請求項１５】
前記データ生成手段は、
前記複数ビットの前記画像データを順次格納し、格納された順に前記画像データを出力する格納手段と、
前記格納手段に格納される前記複数ビットの画像データに対して単数または複数ビットの画像データを付加するデータ変換手段と、
を備えることを特徴とする請求項１４に記載の画像形成装置。
【請求項１６】
前記第１のビット数と前記第２のビット数との差分は、前記第１の回転速度と前記第２の回転速度との速度差に対応することを特徴とする請求項１４または１５に記載の画像形成装置。
【請求項１７】
前記所定周波数は前記第１の回転速度に対応して設定されており、
前記制御手段が前記回転多面鏡の回転速度を前記第２の回転速度に制御した場合に、前記データ生成手段は、前記第１の回転速度と前記第２の回転速度との速度差に応じたビット数を前記第１のビット数に付加した第２のビット数の画像データを生成することを特徴とする請求項１４乃至１６いずれか１項に記載の画像形成装置。
【請求項１８】
前記データ生成手段は、前記複数ビットの画像データを順次格納し、格納された順に前記画像データを出力する格納手段と、前記格納手段に格納される前記複数の画像データに対して単数または複数ビットの画像データを付加するデータ変換手段と、を備え、
前記データ変換手段は、所定のタイミングにおいて前記格納手段に格納されている前記複数ビットの画像データの最終ビットと同じ画像データを付加することを特徴とする請求項１７に記載の画像形成装置。
【請求項１９】
前記所定周波数は前記第２の回転速度に対応して設定されており、
前記制御手段が前記回転多面鏡の回転速度を前記第１の回転速度に制御した場合に、前記データ生成手段は、前記第２のビット数から前記第１の回転速度と前記第２の回転速度との速度差に応じたビット数を減じた前記第１のビット数の前記画像データを生成することを特徴とする請求項１４に記載の画像形成装置。
【請求項２０】
前記データ生成手段は、前記複数ビットの画像データを順次格納し、格納された順に前記画像データを出力する格納手段と、前記格納手段に格納される前記画像データに対して単数または複数ビットの画像データを付加するデータ変換手段と、を備え、
前記データ変換手段は、所定のタイミングにおいて前記格納手段に格納されている前記複数ビットの画像データの最終ビットと同じ画像データを削除することを特徴とする請求項１９に記載の画像形成装置。
【請求項２１】
前記画像形成装置は複数の画像形成速度で画像形成可能であり、
前記制御手段、前記画像形成装置が第１の画像形成速度で画像を形成する場合、前記回転多面鏡を前記第１の回転速度に制御し、前記画像形成装置が前記第２の画像形成装置よりも遅い第２の画像形成速度で画像を形成する場合、前記回転多面鏡を前記第２の回転速度に制御することを特徴とする請求項１３に記載の画像形成装置。
【請求項２２】
前記画像形成装置は、前記画像形成速度に応じて前記感光体の回転速度を制御し、前記画像形成装置が第１の画像形成速度で画像を形成する場合、前記感光体を第３の回転速度に制御し、前記画像形成装置が遅い第２の画像形成速度で画像を形成する場合、前記回転多面鏡を前記第３の回転速度よりも遅い第４の回転速度に制御することを特徴とする請求項２１に記載の画像形成装置。
【請求項２３】
前記画像形成装置は、モノクロ画像及びカラー画像を形成する画像形成装置であって、
前記画像形成装置は、モノクロ画像を形成する際に前記回転多面鏡の回転速度を前記第１の回転速度に制御し、前記カラー画像を形成する際に前記回転多面鏡の回転速度を前記第２の回転速度に制御することを特徴とする請求項１３乃至２２いずれか１項に記載の画像形成装置。
【請求項２４】
前記感光体が複数備えられ、複数の前記感光体は、少なくとも１つの感光体がブラックのトナー像が形成される感光体と少なくとも１つがカラーのトナー像が形成される感光体を含むことを特徴とする請求項２３に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、レーザ光により感光体に形成した潜像を現像して記録紙に転写することで画像形成を行う電子写真方式の画像形成装置に関する。
【手続補正４】
【補正対象書類名】明細書
【補正対象項目名】００１７
【補正方法】変更
【補正の内容】
【００１７】
本発明の目的は、複数の画像形成速度を持つ画像形成装置を回路の増設等を行うことなく安価に構成することを可能とした画像形成装置を提供することにある。
【手続補正５】
【補正対象書類名】明細書
【補正対象項目名】００１８
【補正方法】変更
【補正の内容】
【００１８】
上述の目的を達成するために、本発明の画像形成装置は、第１の回転速度または前記第１の回転速度よりも遅い第２の回転速度で回転する感光体と、前記感光体を露光するための光ビームを出射する光源と、前記光源が点灯することで出射される前記光ビームが前記感光体上を前記感光体の回転方向とは異なる方向に走査するように前記光ビームを偏向する回転多面鏡と、前記回転多面鏡を前記第１の回転速度及び第２の回転速度それぞれに対応した回転速度に制御可能な制御手段と、所定周波数のクロック信号と画像データとに基づいて前記光源を駆動するための駆動信号を生成する信号生成手段と、前記感光体が第１の回転速度に制御された場合の前記光ビームの走査方向における画像領域の幅と前記感光体が前記第２の回転速度に制御された場合の前記画像領域の幅とが同一になるように、前記第１の回転速度及び前記第２の回転速度それぞれに応じた前記画像データを生成するデータ生成手段と、を備えることを特徴とする。
上述の目的を達成するために、本発明の画像形成装置は、感光体と、前記感光体を露光するための光ビームを出射する光源と、前記光源が点灯することで出射される前記光ビームが前記感光体上を走査するように前記光ビームを偏向する回転多面鏡と、前記回転多面鏡の回転速度を複数の回転速度に制御可能な制御手段と、所定周波数のクロック信号と画像データとに基づいて前記光源を駆動するための駆動信号を生成する信号生成手段と、前記制御手段によって制御される前記回転多面鏡の回転速度に応じた前記画像データを生成するデータ生成手段と、を備えることを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
本発明によれば、複数の画像形成速度を持つ画像形成装置を回路の増設等を行うことなく安価に構成できる。